(57)【要約】      （修正有）【課題】長時間使用した場合であっても、従来の熱電発電装置や従来の他の熱電発電装置よりも熱電変換効率が高く、また、熱電発電素子の放熱側電極を冷却する過程で暖められた水を冷水と入れ替える必要がない、発電する薪ストーブを提供する。【解決手段】薪ストーブ本体１０と、熱電発電素子２１が薪ストーブ本体１０に取り付けられた熱電発電ユニット２０と、循環冷却水により熱電発電素子２１を冷却する冷却ユニット３０と、熱電発電素子２１で暖められた循環冷却水を冷却する過程で当該循環冷却水の熱エネルギーから温水を作り出す熱交換器４０と、熱電発電ユニット２０で発電された電力を蓄えるバッテリー５０と、熱発電ユニット２０で発電された電力をバッテリー５０に充電する動作、及び、バッテリー５０に充電された電力を外部に出力する動作を制御する制御装置５２とを備える。【選択図】図１
0003190085.tif 000002
【実用新案登録請求の範囲】
【請求項１】
薪ストーブ本体と、
吸熱側電極及び放熱側電極を有する熱電発電素子を有し、当該熱電発電素子が、前記吸熱側電極を前記薪ストーブ本体側に向けるとともに前記放熱側電極を前記薪ストーブ本体とは反対側に向けた状態で、前記薪ストーブ本体に直接又は高熱伝導部材を介して取り付けられた熱電発電ユニットと、
前記熱電発電ユニットの前記放熱側電極側に設けられ、循環冷却水により前記放熱側電極を冷却する冷却ユニットと、
前記熱電発電素子で暖められた循環冷却水を冷却する過程で当該循環冷却水の熱エネルギーから温水又は温風を作り出す熱交換器と、
前記熱電発電ユニットで発電された電力を蓄えるバッテリーと、
前記熱電発電ユニットで発電された電力を前記バッテリーに充電する動作、及び、前記バッテリーに充電された電力を外部に出力する動作を制御する制御装置とを備えることを特徴とする、発電する薪ストーブ。
【請求項２】
請求項１に記載の、発電する薪ストーブにおいて、
前記熱交換器は、温水を作り出すことを特徴とする、発電する薪ストーブ。
【請求項３】
請求項１に記載の、発電する薪ストーブにおいて、
前記熱交換器は、温風を作り出すことを特徴とする、発電する薪ストーブ。
【請求項４】
請求項３に記載の、発電する薪ストーブにおいて、
前記熱交換器により作り出された温風を薪ストーブ本体の燃焼に用いることを特徴とする、発電する薪ストーブ。
【請求項５】
請求項１〜４のいずれかに記載の、発電する薪ストーブにおいて、
前記熱電発電ユニットは、前記吸熱側電極側の少なくとも一部が前記薪ストーブ本体の内部に斜めに配設されていることを特徴とする、発電する薪ストーブ。
【請求項６】
請求項１〜５のいずれかに記載の、発電する薪ストーブにおいて、
前記発電する薪ストーブは、太陽光発電ユニットをさらに備え、前記太陽光発電ユニットで発電された電力を前記制御装置を介して前記バッテリーに充電できるように構成されていることを特徴とする、発電する薪ストーブ。
【考案の詳細な説明】
【技術分野】
【０００１】
本考案は、発電する薪ストーブに関する。
【背景技術】
【０００２】
従来、熱電発電素子を使った熱電発電ユニットと加熱炉とを組み合わせた熱電発電装置が知られている（例えば、特許文献１参照。）。図６は、従来の熱電発電装置８０を説明するために示す図である。従来の熱電発電装置８０は、図６に示すように、熱電発電素子を低温熱源伝熱板と高温熱源伝熱板により挟んでユニット化した熱電発電ユニット８３を低温熱源容器８１と高温熱源容器８２との間に配設するとともに、高温熱源容器８２と加熱炉８４とを組み合わせた熱電発電装置である。図６中、符号８８は加熱炉８４の煙突を示す。
【０００３】
従来の熱電発電装置８０によれば、送電線が敷設されていない偏境の地、高温熱源と低温熱源が有効に利用されていない設備等において、生活環境の向上と資源の有効利用とクリーンなエネルギーの活用等を図ることができる。
【０００４】
特許文献１には、加熱炉の代わりに暖房用ストーブを用いてもよいことが記載されている。図７は、そのような従来の他の熱電発電装置９０を説明するために示す図である。従来の他の熱電発電装置９０は、図７に示すように、加熱源として、加熱炉の代わりに暖房用ストーブ９４を備える。すなわち、従来の他の熱電発電装置９０は、熱電発電ユニット９３を低温熱源容器９１と高温熱源容器９２との間に配設するとともに、高温熱源容器９２と暖房用ストーブ９４とを組み合わせた熱電発電装置である。図７中、符号９８は暖房用ストーブ９４の煙突を示す。
【０００５】
従来の他の熱電発電装置９０によれば、熱電発電装置９０を暖房兼用発電装置とすることができる。また、従来の他の熱電発電装置９０によれば、暖房用ストーブ９４を炊事用に使えば、熱電発電装置９０を暖房・炊事兼用発電装置とすることができる。
【先行技術文献】
【特許文献】
【０００６】
【特許文献１】実用新案登録第３０４７０８７号公報
【考案の概要】
【考案が解決しようとする課題】
【０００７】
しかしながら、従来の熱電発電装置８０や従来の他の熱電発電装置９０においては、内部に水が貯留されている高温熱源容器８２，９２に熱電発電装置の高温熱源伝熱板が取り付けられた構造を有していることから、高温熱源伝熱板の温度がたかだか水の沸点である１００℃にしかならないために、熱電変換効率が低いという問題がある。
【０００８】
また、従来の熱電発電装置８０や従来の他の熱電発電装置９０においては、熱電発電装置を長時間使用しているうちに、低温熱源容器８１，９１の水が暖められて高温熱源容器８２，９２の水との温度差が少なくなると発電出力が低下することから、そのような場合には低温熱源容器の水を冷水と入れ替える必要があり、実際上不便であるという問題もある。
【０００９】
そこで、本考案は上記問題を解決するためになされたものであり、従来の熱電発電装置８０や従来の他の熱電発電装置９０よりも熱電変換効率が高く、また、長時間使用した場合であっても、熱電発電素子の放熱側電極を冷却する過程で暖められた水を冷水と入れ替える必要がない、発電する薪ストーブを提供することを目的とする。
【課題を解決するための手段】
【００１０】
［１］本考案の、発電する薪ストーブは、薪ストーブ本体と、吸熱側電極及び放熱側電極を有する熱電発電素子を有し、当該熱電発電素子が、前記吸熱側電極を前記薪ストーブ本体側に向けるとともに前記放熱側電極を前記薪ストーブ本体とは反対側に向けた状態で、前記薪ストーブ本体に直接又は高熱伝導部材を介して取り付けられた熱電発電ユニットと、前記熱電発電ユニットの前記放熱側電極側に設けられ、循環冷却水により前記放熱側電極を冷却する冷却ユニットと、前記熱電発電素子で暖められた循環冷却水を冷却する過程で当該循環冷却水の熱エネルギーから温水又は温風を作り出す熱交換器と、前記熱電発電ユニットで発電された電力を蓄えるバッテリーと、前記熱電発電ユニットで発電された電力を前記バッテリーに充電する動作、及び、前記バッテリーに充電された電力を外部に出力する動作を制御する制御装置とを備えることを特徴とする、発電する薪ストーブである。
【００１１】
［２］本考案の、発電する薪ストーブは、前記熱交換器が、温水を作り出すことを特徴とする、発電する薪ストーブである。
【００１２】
［３］本考案の、発電する薪ストーブは、前記熱交換器が、温風を作り出すことを特徴とする、発電する薪ストーブである。
【００１３】
［４］本考案の、発電する薪ストーブは、前記熱交換器により作り出された温風を薪ストーブ本体の燃焼に用いることを特徴とする、発電する薪ストーブである。
【００１４】
［５］本考案の、発電する薪ストーブは、前記熱電発電ユニットが、前記吸熱側電極側の少なくとも一部が前記薪ストーブ本体の内部に斜めになって配設されていることを特徴とする、発電する薪ストーブである。
【００１５】
［６］本考案の、発電する薪ストーブは、太陽光発電ユニットをさらに備え、前記太陽光発電ユニットで発電された電力を前記制御装置を介して前記バッテリーに充電できるように構成されていることを特徴とする、発電する薪ストーブであるる。
【００１６】
本考案の、発電する薪ストーブによれば、熱電発電素子が薪ストーブ本体に直接又は高熱伝導部材を介して取り付けられていることから、吸熱側電極の温度が薪ストーブ本体の温度（例えば２００℃〜５００℃）になるため、従来の熱電発電装置や従来の他の熱電発電装置よりも熱電変換効率が高くなる。
【００１７】
また、本考案の、発電する薪ストーブによれば、熱電発電素子の放熱側電極を冷却する過程で暖められた水（循環冷却水）は、熱交換器が温水又は温風を作り出す過程で冷却されるようになることから、長時間使用した場合であっても、熱電発電素子の放熱側電極を冷却する過程で暖められた水（循環冷却水）を冷水と入れ替える必要がなくなる。
【００１８】
従って、本考案の、発電する薪ストーブは、従来の熱電発電装置や従来の他の熱電発電装置よりも熱電変換効率が高く、また、長時間使用した場合であっても、熱電発電素子の放熱側電極を冷却する過程で暖められた水を冷水と入れ替える必要がない、発電する薪ストーブとなる。
【図面の簡単な説明】
【００１９】
【図１】実施形態１に係る、発電する薪ストーブ１を説明するために示す図である。
【図２】実施形態１に係る、発電する薪ストーブ１を説明するために示す図である。
【図３】実施形態２に係る、発電する薪ストーブ２を説明するために示す図である。
【図４】実施形態３に係る、発電する薪ストーブ３を説明するために示す図である。
【図５】実施形態４に係る、発電する薪ストーブ４を説明するために示す図である。
【図６】従来の熱電発電装置８０を説明するために示す図である。
【図７】従来の他の熱電発電装置９０を説明するために示す図である。
【考案を実施するための形態】
【００２０】
以下、本考案の実施形態について説明する。
【００２１】
［実施形態１］
図１及び図２は、実施形態１に係る、発電する薪ストーブ１を説明するために示す図である。図１（ａ）は発電する薪ストーブ１を正面から見た図であり、図１（ｂ）は発電する薪ストーブ１を側面から見た図である。図２は発電する薪ストーブ１における薪ストーブ本体１０を背面から見た図である。なお、図１（ｂ）中、周辺装置ユニット６０は内部構造が分かるように断面図として示している。また、図１（ｂ）においては、作図の都合上、熱電発電素子２１と制御装置５２との間の電気配線、制御装置５２とバッテリー５０との間の電気配線は１本で示している。また、図１（ｂ）においては、制御装置５２から外部に出力される給電端子は、１００Ｖ交流用の１本（一対）と、１．５Ｖ直流用の１本（一対）の合計２本あるものとして示してある。また、図２においては、循環冷却水を流す配管が薪ストーブ本体１０の左側面側（図２中は右側）に伸びているように図示されているが、実際には当該配管は薪ストーブ本体１０の背面側に位置する周辺装置ユニット６０側に向けて伸びている。
【００２２】
実施形態１に係る、発電する薪ストーブ１は、図１及び図２に示すように、薪ストーブ本体１０と、吸熱側電極及び放熱側電極を有する熱電発電素子２１を有し、当該熱電発電素子２１が、吸熱側電極を薪ストーブ本体１０側に向けるとともに放熱側電極を薪ストーブ本体１０とは反対側に向けた状態で、薪ストーブ本体１０に高熱伝導部材（吸熱側高熱伝導部材）を介して取り付けられた熱電発電ユニット２０と、熱電発電ユニット２０の放熱側電極側に設けられ、循環冷却水により放熱側電極を冷却する冷却ユニット３０と、熱電発電素子２１で暖められた循環冷却水の熱エネルギーから温水を作り出す熱交換器４０と、熱電発電ユニット２０で発電された電力を蓄えるバッテリー５０と、熱電発電ユニット２０で発電された電力を前記バッテリー５０に充電する動作、及び、バッテリー５０に充電された電力を外部に出力する動作を制御する制御装置５２とを備える。
【００２３】
冷却ユニット３０の冷却水タンク３１、バッテリー５０、制御装置５２及び熱交換器４０は、周辺装置ユニット６０に収納されている。なお、図１中、符号１１は薪ストーブ本体１０の筐体を示し、符号１２は薪ストーブ本体１０の窓を示し、符号１３は薪ストーブ本体１０の調理台を示し、符号１４は薪ストーブ本体１０の扉を示し、符号１５は薪ストーブ本体１０の煙突を示す。
【００２４】
実施形態１に係る、発電する薪ストーブ１においては、薪ストーブ本体１０で薪を焚くと薪ストーブ本体１０が暖まり、その過程で、熱電発電素子２１の吸熱側電極が暖まる。その一方で、熱電発電素子２１の放熱側電極は循環冷却水により冷やされることから、熱電発電素子２１はこれらの温度差で発電する。発電により産出された電力は、制御装置５２を介してバッテリー５０に充電される。バッテリー５０に充電された電力は、制御装置５２を介して、適宜の周波数（交流、直流）、適宜の電圧（１００Ｖ、１２Ｖ、５Ｖ，３Ｖ、１．５Ｖ）に変換されて給電端子に給電される。なお、発電により産出された電力は、そのまま適宜の周波数（交流、直流）、適宜の電圧（１００Ｖ、１２Ｖ、５Ｖ，３Ｖ、１．５Ｖ）に変換されて給電端子に給電されてもよい。
【００２５】
なお、実施形態１に係る、発電する薪ストーブ１においては、図２に示すように、熱電発電ユニット２０は、４個の熱電発電素子２１を有し、循環冷却水が、４個の熱電発電素子の放熱側電極側の高熱伝導性部材に対してシリアルではなくパラレルに流れるように配管が配設されている。
【００２６】
実施形態１に係る、発電する薪ストーブ１においては、熱交換器４０に、二次冷却水を流すための配管が接続されており、熱電発電素子２１で暖められた循環冷却水を二次冷却水で冷却するように構成されている。従って、実施形態１に係る、発電する薪ストーブにおいては、熱交換器４０が、温水を作り出す機能を有し、二次冷却水の一部又は全部を温水として使用することができる。
【００２７】
実施形態１に係る、発電する薪ストーブ１によれば、熱電発電素子２１が薪ストーブ本体１０に高熱伝導部材（吸熱側高熱伝導部材）を介して取り付けられていることから、吸熱側電極の温度が薪ストーブ本体の温度（例えば２００℃〜５００℃）になるため、従来の熱電発電装置８０や従来の他の熱電発電装置９０よりも熱電変換効率が高くなる。
【００２８】
また、実施形態１に係る、発電する薪ストーブ１によれば、熱電発電素子の放熱側電極を冷却する過程で暖められた水（循環冷却水）は、熱交換器４０が温水を作り出す過程で冷却されるようになることから、長時間使用した場合であっても、熱電発電素子の放熱側電極を冷却する過程で暖められた水（循環冷却水）を冷水と入れ替える必要がなくなる。
【００２９】
従って、実施形態１に係る、発電する薪ストーブ１は、従来の熱電発電装置８０や従来の他の熱電発電装置９０よりも熱電変換効率が高く、また、長時間使用した場合であっても、熱電発電素子の放熱側電極を冷却する過程で暖められた水を冷水と入れ替える必要がない、発電する薪ストーブとなる。
【００３０】
また、実施形態１に係る、発電する薪ストーブ１によれば、４個の熱電発電素子の放熱側電極側の高熱伝導性部材に対して循環冷却水がパラレルに流れるように配管が配設されていることから、４個の熱電発電素子２１の熱電発電効率を均一に、かつ、高くすることができる。
【００３１】
また、実施形態１に係る、発電する薪ストーブ１によれば、薪ストーブ本体１を用いて部屋を暖房する過程で産出した電力（例えば１００Ｗ）をそのまま使用したり、この電力をバッテリー５０に充電することができる。このため、災害時に、照明用電源、ラジオ・テレビ用電源、通信機器の充電用電源として用いることができる。
【００３２】
また、実施形態１に係る、発電する薪ストーブ１によれば、熱交換器４０は、温水を作り出す機能を有することから、図１に示すように、外部に温水を供給（給湯）することができる。災害時に、湯を使ったり、風呂に入ったりすることができるようになる。
【００３３】
また、実施形態１に係る、発電する薪ストーブ１によれば、薪ストーブ本体１０が調理台１３を有することから、発電する薪ストーブ１を使用しながら、調理（煮炊き）をすることも可能となる。
【００３４】
実施形態１に係る、発電する薪ストーブ１は、部屋を暖房しながら発電できるという点で、人の興味を引くものがあることから、様々な用途（一般家庭の暖房用途、学校の教室の暖房用途、学校の体育館の暖房用途、公共施設（公民館、市役所、県庁、図書館の暖房用途など）に広く使われていくことが期待される。
【００３５】
また、実施形態１に係る、発電する薪ストーブ１は、カーボンニュートラルの薪を燃料とするものであることから、環境への負担が小さい、発電する薪ストーブとなる。
【００３６】
また、実施形態１に係る、発電する薪ストーブ１は、松食い虫の駆除で産出された松の木由来の薪を燃料にできるものであることから、地域行政に役立つものとなる。
【００３７】
［実施形態２］
図３は、実施形態２に係る、発電する薪ストーブ２を説明するために示す図である。図３（ａ）は発電する薪ストーブ２を正面から見た図であり、図３（ｂ）は発電する薪ストーブ２を側面から見た図である。なお、図３（ｂ）中、周辺装置ユニット６０は内部構造が分かるように断面図として示している。
【００３８】
実施形態２に係る、発電する薪ストーブ２は、基本的には、実施形態１に係る、発電する薪ストーブ１と同様の構成を有するが、熱交換器４０の構成が実施形態１に係る、発電する薪ストーブ１の場合とは異なる。すなわち、実施形態２に係る、発電する薪ストーブ２においては、図３に示すように、熱交換器４０が、温風を作り出すことを特徴とする。
【００３９】
実施形態２に係る、発電する薪ストーブ２においては、熱交換器４０に、冷却媒体としての空気を流すための配管が接続されており、熱電発電素子２１で暖められた循環冷却水を空気で冷却するように構成されている。従って、実施形態１に係る、発電する薪ストーブにおいては、熱交換器４０が、温風を作り出す機能を有し、当該温風を使用することができる。
【００４０】
このように、実施形態２に係る、発電する薪ストーブ２は、熱交換器４０の構成が実施形態１に係る、発電する薪ストーブ１の場合とは異なるが、熱電発電素子２１が薪ストーブ本体１０に高熱伝導部材（吸熱側高熱伝導部材）を介して取り付けられていることから、吸熱側電極の温度が薪ストーブ本体の温度（例えば２００℃〜５００℃）になるため、従来の熱電発電装置８０や従来の他の熱電発電装置９０よりも熱電変換効率が高くなる。また、熱電発電素子の放熱側電極を冷却する過程で暖められた水（循環冷却水）は、熱交換器４１が温風を作り出す過程で冷却されるようになることから、長時間使用した場合であっても、熱電発電素子の放熱側電極を冷却する過程で暖められた水（循環冷却水）を冷水と入れ替える必要がなくなる。
【００４１】
従って、実施形態２に係る、発電する薪ストーブ２は、実施形態１に係る、発電する薪ストーブ１の場合と同様に、従来の熱電発電装置８０や従来の他の熱電発電装置９０よりも熱電変換効率が高く、また、長時間使用した場合であっても、熱電発電素子の放熱側電極を冷却する過程で暖められた水を冷水と入れ替える必要がない、発電する薪ストーブとなる。
【００４２】
また、熱交換器４１により生み出された温風は、部屋の暖房に用いることができる。このようにすれば、部屋の場所によっては、薪ストーブ本体１０の輻射熱だけで部屋を暖める場合よりも当該場所を速く暖めることが可能となる。また、熱交換器４１により生み出された温風は、床下暖房に用いることもできる。また、熱交換器４１により生み出された温風は、薪ストーブ本体１０が設置されていない部屋の暖房に用いることもできる。
【００４３】
さらにまた、熱交換器４１により生み出された温風は、図３に示すように、薪ストーブ本体１０の燃焼に用いることもできる。このようにすれば、薪ストーブ本体１０の燃焼に冷たい空気を用いる場合よりも燃焼効率を高くすることができる。この場合、熱交換器４１により生み出された温風は、一次燃焼室に供給して一次燃焼（通常燃焼）に用いることもできるし、二次燃焼室に供給して二次燃焼（触媒燃焼）に用いることもできる。
【００４４】
なお、熱電発電ユニット２０が産出する電力で送風ファンを駆動して、予熱された温風を薪ストーブ本体１０に送り込むこともできる。
【００４５】
［実施形態３］
図４は、実施形態３に係る、発電する薪ストーブ３を説明するために示す図である。図４（ａ）は発電する薪ストーブ３を正面から見た断面図であり、図４（ｂ）は発電する薪ストーブ３を側面から見た図である。なお、図４（ｂ）において、薪ストーブ本体１０は側面図として示しており、周辺装置ユニット６０は省略している。
【００４６】
実施形態３に係る、発電する薪ストーブ３は、基本的には、実施形態１に係る、発電する薪ストーブ１と同様の構成を有するが、熱電発電ユニット２０の配設状態が実施形態１に係る、発電する薪ストーブ１の場合とは異なる。すなわち、実施形態３に係る、発電する薪ストーブ３においては、図４に示すように、熱電発電ユニット２０が、吸熱側電極側の少なくとも一部が薪ストーブ本体１０の内部に斜めに配設されている。
【００４７】
このように、実施形態３に係る、発電する薪ストーブ３は、熱電発電ユニット２０の配設状態が実施形態１に係る、発電する薪ストーブ１の場合とは異なるが、熱電発電素子２１が薪ストーブ本体１０に高熱伝導部材（吸熱側高熱伝導部材）を介して取り付けられていることから、吸熱側電極の温度が薪ストーブ本体の温度（例えば２００℃〜５００℃）になるため、従来の熱電発電装置８０や従来の他の熱電発電装置９０よりも熱電変換効率が高くなる。また、熱電発電素子の放熱側電極を冷却する過程で暖められた水（循環冷却水）は、熱交換器４０が温水を作り出す過程で冷却されるようになることから、長時間使用した場合であっても、熱電発電素子の放熱側電極を冷却する過程で暖められた水（循環冷却水）を冷水と入れ替える必要がなくなる。
【００４８】
従って、実施形態３に係る、発電する薪ストーブ３は、実施形態１に係る、発電する薪ストーブ１の場合と同様に、従来の熱電発電装置８０や従来の他の熱電発電装置９０よりも熱電変換効率が高く、また、長時間使用した場合であっても、熱電発電素子の放熱側電極を冷却する過程で暖められた水を冷水と入れ替える必要がない、発電する薪ストーブとなる。
【００４９】
また、実施形態３に係る、発電する薪ストーブ３によれば、熱電発電ユニット２０が、吸熱側電極側の少なくとも一部が薪ストーブ本体１０の内部に斜めに配設されていることから、吸熱側電極の温度が実施形態１に係る、発電する薪ストーブ１の場合よりも高くなるため、実施形態１に係る、発電する薪ストーブ１よりも熱電変換効率が高くなるという効果もある。
【００５０】
［実施形態４］
図５は、実施形態４に係る、発電する薪ストーブ４を説明するために示す図である。
【００５１】
実施形態４に係る、発電する薪ストーブ４は、基本的には、実施形態１に係る、発電する薪ストーブ１と同様の構成を有するが、太陽光発電ユニット７０をさらに備える点で、実施形態１に係る、発電する薪ストーブ１の場合とは異なる。すなわち、実施形態４に係る、発電する薪ストーブ４は、図５に示すように、太陽光発電ユニット７０をさらに備え、太陽光発電ユニット７０で発電された電力を制御装置５２を介してバッテリー５０に充電できるように構成されている。
【００５２】
このように、実施形態４に係る、発電する薪ストーブ４は、太陽光発電ユニット７０をさらに備える点で、実施形態１に係る、発電する薪ストーブ１の場合とは異なるが、熱電発電素子２１が薪ストーブ本体１０に高熱伝導部材（吸熱側高熱伝導部材）を介して取り付けられていることから、吸熱側電極の温度が薪ストーブ本体の温度（例えば２００℃〜５００℃）になるため、従来の熱電発電装置８０や従来の他の熱電発電装置９０よりも熱電変換効率が高くなる。また、熱電発電素子の放熱側電極を冷却する過程で暖められた水（循環冷却水）は、熱交換器４０が温水を作り出す過程で冷却されるようになることから、長時間使用した場合であっても、熱電発電素子の放熱側電極を冷却する過程で暖められた水（循環冷却水）を冷水と入れ替える必要がなくなる。
【００５３】
従って、実施形態４に係る、発電する薪ストーブ４は、実施形態１に係る、発電する薪ストーブ１の場合と同様に、従来の熱電発電装置８０や従来の他の熱電発電装置９０よりも熱電変換効率が高く、また、長時間使用した場合であっても、熱電発電素子の放熱側電極を冷却する過程で暖められた水を冷水と入れ替える必要がない、発電する薪ストーブとなる。
【００５４】
なお、実施形態４に係る、発電する薪ストーブ４によれば、薪ストーブ１０を運転させていないときにも、太陽光発電装置が産出した電力をバッテリー５０に充電できるという効果もある。
【００５５】
なお、本考案は上述の実施形態に限られるものではなく、本考案の要旨を逸脱しない範囲で種々変形実施可能となるものである。たとえば、下記に示すような変形実施も可能である。
【００５６】
（１）上記実施形態１においては、熱電発電素子２１が薪ストーブ本体１０に高熱伝導部材（吸熱側高熱伝導部材）を介して取り付けられているが、本考案はこれに限定されるものでない。例えば、熱電発電素子が薪ストーブ本体に直接取り付けられていてもよい。
【００５７】
（２）上記実施形態１においては、熱電発電素子２１が薪ストーブ本体１０に高熱伝導部材（吸熱側高熱伝導部材）を介して取り付けられており、上記実施形態３においては、熱電発電素子２１が、吸熱側電極側の少なくとも一部が薪ストーブ本体１０の内部に斜めに配設されているが、本考案はこれに限定されるものでない。例えば、高熱伝導部材からなる吸熱フィンを薪ストーブ１０の燃焼室に配設するとともに、当該吸熱フィンの端部を薪ストーブ１０の側壁又は背壁から外に出しておく。そして、熱電発電素子の吸熱側電極と上記した吸熱フィンを熱的に接続しておくようにしてもよい。このような構成とすることにより、吸熱側電極の温度をさらに高くすることが可能となる。
【符号の説明】
【００５８】
１，２，３，４…発電する薪ストーブ、１０・・・薪ストーブ本体、１１…筐体、１２…窓、１３…調理台、１４…扉、１５，８８，９８…煙突、２０，８３，９３…熱電発電ユニット、２１…熱電発電素子、３０…冷却ユニット、３１…冷却水タンク、４０，４１…熱交換器、５０…バッテリー、５２…制御装置、６０…周辺装置ユニット、７０…太陽光発電ユニット、７１…屋根、７２…家屋、８０，９０…熱電発電装置、８１，９１…低温熱源容器、９１，９２…高温熱源容器、８４…加熱炉、、９４…暖房ストーブ
【図１】
0003190085.tif 000003
【図２】
0003190085.tif 000004
【図３】
0003190085.tif 000005
【図４】
0003190085.tif 000006
【図５】
0003190085.tif 000007
【図６】
0003190085.tif 000008
【図７】
0003190085.tif 000009